(57)【要約】【課題】撮影レンズを電動により駆動制御するアクセサリの処理を撮影レンズに固有の固有データを用いて行うと共に、制御対象の撮影レンズに適応した固有データに設定、変更できるようにすることで、アクセサリを諸種の撮影レンズに適用できるようにし、また、映画撮影等の用途でアクセサリによって被写体距離、焦点距離、絞り値等のメタデータを生成する場合にも同様にアクセサリを諸種の撮影レンズに適用できるようにしたレンズシステムを提供する。【解決手段】例えば、手動操作されるシネマ用の撮影レンズ１０にドライブユニット１４Ａ〜１４Ｃを装着し、ドライブユニット１４Ａ〜１４Ｃをシステムコントローラ１６に接続してシステムコントローラ１６により撮影レンズ１０のフォーカス、ズーム、アイリスを電動で制御できるようにする。そして、システムコントローラ１６のセレクトスイッチ３４又はＰＣ２４により撮影レンズ１０の型名を指定するとその型名の撮影レンズに適応した処理がシステムコントローラ１６で行われるようになる。【選択図】      図１
2005043713.tif 000002
【特許請求の範囲】
【請求項１】
カメラの撮影レンズを電動により制御すると共に、前記撮影レンズに固有の固有データを用いた処理を行うアクセサリと、
前記撮影レンズに対して用いる前記固有データを前記アクセサリに設定する固有データ設定手段と、
を備えたことを特徴とするレンズシステム。
【請求項２】
前記アクセサリは、前記固有データ設定手段により設定された固有データを用いて前記撮影レンズの設定状態を示すメタデータを生成する処理を行うことを特徴とする請求項１のレンズシステム。
【請求項３】
前記撮影レンズの個体を特定する個体情報を前記アクセサリに設定する個体情報設定手段を備えたことを特徴とする請求項１又は２のレンズシステム。
【請求項４】
前記アクセサリには個体が異なる複数の撮影レンズに対応する個体別の固有データが予め記憶されており、前記固有データ設定手段は、前記アクセサリに記憶されている個体別の固有データのうちから制御対象である前記撮影レンズに対して用いる固有データを選択することを特徴とする請求項１又は２のレンズシステム。
【請求項５】
前記アクセサリに記憶される固有データを前記アクセサリに通信により入力する入力手段を備えたことを特徴とする請求項４のレンズシステム。
【請求項６】
前記固有データ設定手段は、前記撮影レンズに対して用いる固有データを前記アクセサリに通信により入力する入力手段を備えたことを特徴とする請求項１又は２のレンズシステム。
【請求項７】
前記撮影レンズの個体を特定する個体情報を設定する個体情報設定手段を備え、前記固有データ設定手段は、該個体情報設定手段により設定された個体情報に基づいて該個体情報により特定された撮影レンズに対応する固有データを前記個体別の固有データのうちから選択することを特徴とする請求項４又は５のレンズシステム。
【請求項８】
前記個体情報は撮影レンズの型名又はシリアルナンバーであることを特徴とする請求項３又は７のレンズシステム。
【請求項９】
前記アクセサリは、通信可能に接続された所定の処理装置の初期設定時に該処理装置からの送信要求に応答して前記個体情報設定手段により設定された個体情報を該処理装置に送信すると共に、該初期設定の後、前記個体情報設定手段により個体情報が変更された場合に前記処理装置に個体情報の再送信要求を促し、該送信要求に応答して前記変更された個体情報を前記処理装置に再送信することを特徴とする請求項３、７、又は８のレンズシステム。
【請求項１０】
前記アクセサリは、前記処理装置との間での通信にエラーを生じさせることにより前記個体情報の再送信要求を促すことを特徴とする請求項９のレンズシステム。
【請求項１１】
前記処理装置は、前記カメラ、又は、前記固有データ設定手段により設定された固有データを用いて生成された前記撮影レンズの設定状態を示すメタデータを記録するメタデータ記録装置であることを特徴とする請求項９又は１０のレンズシステム。
【発明の詳細な説明】
【技術分野】
【０００１】
本発明はレンズシステムに係り、特に映画制作に適したレンズシステムに関する。
【背景技術】
【０００２】
テレビ放送用や映画撮影用（シネマ用）等の撮影レンズには、フォーカス、ズーム、アイリスなどを電動により駆動制御するためのモータ、位置センサ、制御回路等から成る制御装置を一体的に装備しているものと、制御装置を装備していないものとがある。一般に、テレビ放送用の撮影レンズは、制御装置を備えているものが多いが、シネマ用の撮影レンズは、手動（力）によりレンズ駆動するマニュアル操作を前提とするため制御装置を備えていないのが多い。
【０００３】
尚、特許文献１には、レンズシステムに関して記載されている。
【特許文献１】特開２００３−１４９５４１号公報
【発明の開示】
【発明が解決しようとする課題】
【０００４】
ところで近年では、映画撮影においても撮影レンズを手動ではなく電動で操作したいという要望が増えており、標準では制御装置を装備していない撮影レンズを電動で駆動制御できるようにするアクセサリ（付属装置）の必要性が増加している。しかしながらアクセサリでこのようなシステムを構築できるようにする場合には次のような課題がある。
【０００５】
標準で撮影レンズに装備されている制御装置では、その撮影レンズのみが制御の対象となるためその撮影レンズにとって適切な制御となるように設計されている。例えば、フォーカス、ズーム、絞り等の制御では、それらの位置を検出器で検出し、その出力値を参照しながらモータを駆動する等の処理を行っているが、その制御装置を他の種類の撮影レンズにそのまま使用しても位置検出器の出力値の範囲が異なり、また、撮影レンズの特性や性能も異なるため適切な制御とはならない。
【０００６】
従って、制御装置を装備していない撮影レンズをアクセサリにより電動で駆動制御できるようにするシステムを構築する場合、アクセサリでは汎用性が要求されるため特定の撮影レンズのみではなく諸種の撮影レンズにとって適切な処理が行われるようにする措置の必要がある。
【０００７】
また、映画撮影では、通常、映像の記録と共にその映像に関する情報も記録している。この情報はＭＥＴＡ ＤＡＴＡ（メタデータ）と呼ばれ、カメラの情報の他に撮影レンズの情報、例えば、被写体距離、焦点距離、絞り値等の撮影レンズの設定状態を示す情報が含まれている。
【０００８】
もし、メタデータを自動的に取得して映像と共に記録媒体に記録し、再生できるようにすれば便利であるが、上述のように多くのシネマ用撮影レンズでは、手動操作が前提とされ、位置検出器等が装備されていないため、シネマ用撮影レンズでこれを実現するためにはアクセサリを使用する必要がある。その場合にも、異なる種類の撮影レンズに対して全く同一の処理により、フォーカス、ズーム、絞り等の位置検出器の出力値からメタデータである被写体距離、焦点距離、絞り値等を求めても正しくは求まらない。そのため、諸種のシネマ用撮影レンズで同一のアクセサリを汎用できるようにするためには諸種のシネマ用撮影レンズに適応させるための措置が必要である。
【０００９】
本発明はこのような事情に鑑みてなされたもので、撮影レンズを電動で駆動制御できるようにしたアクセサリを諸種の撮影レンズに適応できるようにしたレンズシステムを提供することを目的とする。
【課題を解決するための手段】
【００１０】
前記目的を達成するために、請求項１に記載のレンズシステムは、カメラの撮影レンズを電動により制御すると共に、前記撮影レンズに固有の固有データを用いた処理を行うアクセサリと、前記撮影レンズに対して用いる前記固有データを前記アクセサリに設定する固有データ設定手段と、を備えたことを特徴としている。
【００１１】
また、請求項２に記載のレンズシステムは、請求項１に記載のレンズシステムにおいて、前記アクセサリは、前記固有データ設定手段により設定された固有データを用いて前記撮影レンズの設定状態を示すメタデータを生成する処理を行うことを特徴としている。
【００１２】
また、請求項３に記載のレンズシステムは、請求項１又は２に記載のレンズシステムにおいて、前記撮影レンズの個体を特定する個体情報を前記アクセサリに設定する個体情報設定手段を備えたことを特徴としている。
【００１３】
また、請求項４に記載のレンズシステムは、請求項１又は２に記載のレンズシステムにおいて、前記アクセサリには個体が異なる複数の撮影レンズに対応する個体別の固有データが予め記憶されており、前記固有データ設定手段は、前記アクセサリに記憶されている個体別の固有データのうちから制御対象である前記撮影レンズに対して用いる固有データを選択することを特徴としている。
【００１４】
請求項５に記載のレンズシステムは、請求項４に記載のレンズシステムにおいて、前記アクセサリに記憶される固有データを前記アクセサリに通信により入力する入力手段を備えたことを特徴としている。
【００１５】
また、請求項６に記載のレンズシステムは、請求項１又は２に記載のレンズシステムにおいて、前記固有データ設定手段は、前記撮影レンズに対して用いる固有データを前記アクセサリに通信により入力する入力手段を備えたことを特徴としている。
【００１６】
また、請求項７に記載のレンズシステムは、請求項４又は５に記載のレンズシステムにおいて、前記撮影レンズの個体を特定する個体情報を設定する個体情報設定手段を備え、前記固有データ設定手段は、該個体情報設定手段により設定された個体情報に基づいて該個体情報により特定された撮影レンズに対応する固有データを前記個体別の固有データのうちから選択することを特徴としている。
【００１７】
また、請求項８に記載のレンズシステムは、請求項３又は７に記載のレンズシステムにおいて、前記個体情報は撮影レンズの型名又はシリアルナンバーであることを特徴としている。
【００１８】
また、請求項９に記載のレンズシステムは、請求項３、７、又は、８に記載のレンズシステムにおいて、前記アクセサリは、通信可能に接続された所定の処理装置の初期設定時に該処理装置からの送信要求に応答して前記個体情報設定手段により設定された個体情報を該処理装置に送信すると共に、該初期設定の後、前記個体情報設定手段により個体情報が変更された場合に前記処理装置に個体情報の再送信要求を促し、該送信要求に応答して前記変更された個体情報を前記処理装置に再送信することを特徴としている。
【００１９】
また、請求項１０に記載のレンズシステムは、請求項９に記載のレンズシステムにおいて、前記アクセサリは、前記処理装置との間での通信にエラーを生じさせることにより前記個体情報の再送信要求を促すことを特徴としている。
【００２０】
また、請求項１１に記載のレンズシステムは、請求項９又は１０に記載のレンズシステムにおいて、前記処理装置は、前記カメラ、又は、前記固有データ設定手段により設定された固有データを用いて生成された前記撮影レンズの設定状態を示すメタデータを記録するメタデータ記録装置であることを特徴としている。
【発明の効果】
【００２１】
本発明に係るレンズシステムによれば、撮影レンズを電動により駆動制御するアクセサリの処理を撮影レンズに固有の固有データを用いて行うと共に、制御対象の撮影レンズに適応した固有データを設定することができるため、アクセサリを諸種の撮影レンズに適用することができるようになる。また、映画撮影等の用途でアクセサリによって被写体距離、焦点距離、絞り値等のメタデータを生成する場合にも同様にアクセサリを諸種の撮影レンズに適用することができる。
【発明を実施するための最良の形態】
【００２２】
以下、添付図面に従って本発明に係るレンズシステムの好ましい実施の形態について詳説する。
【００２３】
図１は、本発明が適用される例えばシネマ用の撮影システムの構成を示したブロック図である。同図において撮影レンズ（光学系）１０は、撮像素子や映像信号処理回路等を搭載したカメラ本体１２にマウントによって装着されている。撮影レンズ１０は、鏡胴内に配置された可動の光学部品の種類に対応してフォーカス部１０Ａ、ズーム部１０Ｂ、アイリス部１０Ｃ等に分けられており、フォーカス部１０Ａには主に被写体にピントを合わせるために光軸方向に駆動されるフォーカスレンズ（群）が配置され、ズーム部１０Ｂには撮影レンズ１０の焦点距離を変更するために光軸方向に駆動されるズームレンズ（群）が配置されている。アイリス部１０Ｃには絞りが配置されている。
【００２４】
一方、撮影レンズ１０の鏡胴には、ドライブユニット１４Ａ〜１４Ｃが装着される。ここで撮影レンズ１０は、例えば、鏡胴周部に回動可能なフォーカスリング、ズームリング、アイリスリングが配設され、それらの操作リングを回動操作することによりフォーカスレンズ、ズームレンズ、絞りを手動（力）で駆動するタイプの撮影レンズである。即ち、標準ではフォーカスレンズ、ズームレンズ、絞りを電動で駆動するための装置は装備されていない撮影レンズである。このような撮影レンズ１０の鏡胴の所定箇所に同図のようにドライブユニット１４Ａ〜１４Ｃを設置し、各ドライブユニット１４Ａ〜１４Ｃのモータを各操作リングに係合させることにより、フォーカスレンズ、ズームレンズ、絞りを電動で駆動できるようにしている。
【００２５】
同図のシステムコントローラ１６は、主に撮影レンズ１０のフォーカスレンズ、ズームレンズ、絞りをドライブユニット１４Ａ〜１４Ｃを介して電動で制御すると共に、後述のメタデータを生成するためのインターフェースアクセサリ（付属装置）である。そのシステムコントローラ１６の端子１６Ａ、１６Ｂ、１６Ｃにはそれぞれドライブユニット１４Ａ、１４Ｂ、１４Ｃがケーブルを介して接続される。また、システムコントローラ１６Ｄ、１６Ｅには、それぞれ操作者がフォーカスやズームをマニュアルで遠隔操作するための操作部材を備えたフォーカスコントローラ１８、ズームコントローラ２０がケーブルを介して接続される。
【００２６】
また、システムコントローラ１６の端子１６Ｆには、電源や各種信号を送受信するカメラ本体１２の制御端子１２Ａがケーブルを介して接続され、端子１６Ｇには映像信号やメタデータを記録媒体（テープ、半導体記録メディア等）に記録するメタデータレコーダ２２がケーブルを介して接続される。尚、メタデータレコーダ２２にはカメラ本体１２の映像信号出力端子１２Ｂが接続され、撮影レンズ１０により結像されカメラ本体１２の撮像素子により光電変換されて得られた映像信号がメタデータレコーダ２２に与えられるようになっている。
【００２７】
更に、システムコントローラ１６の端子１６Ｈには、通信により各種データのやり取りを行うデータ入力装置がケーブルを介して接続できるようになっており、データ入力装置として同図ではパーソナルコンピュータ（ＰＣ）２４が接続されている。
【００２８】
図２は、上記システムコントローラ１６の構成を示したブロック図である。同図に示すようにシステムコントローラ１６にはＣＰＵ３０が内蔵されており、ＣＰＵ３０により各種処理が統括して行われるようになっている。
【００２９】
同図のフォーカスドライバ回路３２Ａ、ズームドライバ回路３２Ｂ、アイリスドライバ回路３２Ｃは、それぞれ端子１６Ａ、１６Ｂ、１６Ｃを介して上記ドライブユニット１４Ａ、１４Ｂ、１４Ｃに接続される。各ドライバ回路３２Ａ〜３２ＣにはＣＰＵ３０から制御信号が与えられ、各ドライブユニット１４Ａ〜１４Ｃのモータがその制御信号に基づいて各ドライバ回路３２Ａ〜３２Ｃによって駆動されるようになっている。従って、撮影レンズ１０のフォーカスレンズ、ズームレンズ、絞りは、ＣＰＵ３０からの制御信号によって電動で駆動される。
【００３０】
また、各ドライブユニット１４Ａ〜１４Ｃには、それぞれフォーカスレンズ、ズームレンズ、絞りの位置を検出するポテンショメータが搭載されており、それらのポテンショメータの出力値が各ドライバ回路３２Ａ〜３２Ｃを介してＣＰＵ３０に読み取られるようになっている。
【００３１】
また、システムコントローラ１６の端子１６Ｄ、１６Ｅに接続された上記フォーカスコントローラ１８及びズームコントローラ２０とＣＰＵ３０との間では、ＣＰＵ３０に内蔵されたシリアルコミュニケーションインタフェース（ＳＣＩ）により各種信号のやり取りが行われるようになっている。フォーカスコントローラ１８やズームコントローラ２０に設けられたマニュアル操作部材が操作され、その操作に応じた指令信号が各コントローラ１８、２０から送信されると、ＣＰＵ３０はその指令信号に基づいてフォーカスレンズやズームレンズを駆動するための制御信号をフォーカスドライバ回路３２Ａ、ズームドライバ回路３２Ｂに出力する。これにより、フォーカスコントローラ１８やズームコントローラ２０でのマニュアル操作により撮影レンズ１０のフォーカスレンズやズームレンズが電動で駆動される。尚、絞りについても同様にコントローラによってマニュアル操作できるようにすることは可能である。
【００３２】
システムコントローラ１６の端子１６Ｆに接続された上記カメラ本体１２の制御端子１２Ａからは、電源が供給されると共に絞りを自動制御するための指令信号（アイリス信号）が送信される。ＣＰＵ３０は、そのアイリス信号を取得し、アイリス信号に基づいて絞りを駆動する駆動信号をアイリスドライバ回路３２Ｃに出力する。これにより、アイリス信号により撮影レンズ１０の絞りが電動で駆動される。また、ＣＰＵ３０は、カメラ本体１２の制御端子１２Ａを通じてカメラ本体１２との間でＳＣＩにより各種信号を送受信する。
【００３３】
システムコントローラ１６の端子１６Ｇに接続されたメタデータレコーダ２２とＣＰＵ３０との間では、ＣＰＵ３０に内蔵されたＳＣＩにより各種信号のやり取りが行われるようになっている。これにより、ＣＰＵ３０からメタデータレコーダ２２にはメタデータが送信される。メタデータとして送信される情報の内容は、カメラ本体１２での設定状態を示す情報の他に、被写体距離、焦点距離、絞り値などの撮影レンズ１０の設定状態を示す情報が含まれている。カメラ本体１２での設定状態を示すメタデータの情報についての詳細は省略するが、ＣＰＵ３０は、カメラ本体１２の設定状態を示す情報を上記カメラ本体１２の制御端子１２Ａとの間の通信によりカメラ本体１２から取得し、メタデータとしてメタデータレコーダ２２に送信する。
【００３４】
一方、撮影レンズ１０の設定状態を示すメタデータのうち被写体距離については、フォーカスレンズの現在位置としてドライブユニット１４Ａのポテンショメータから出力される出力値を取得し、その出力値に基づいて求める。焦点距離については、ズームレンズの現在位置としてドライブユニット１４Ｂのポテンショメータから出力される出力値を取得し、その出力値に基づいて求める。絞り値については、絞りの現在位置としてドライブユニット１４Ｃのポテンショメータから出力された出力値を取得し、その出力値（又はズームレンズと絞りのポテンショメータの出力値）に基づいて求める。そして、このようにして求めた被写体距離、焦点距離、絞り値をメタデータとしてメタデータレコーダ２２に送信する。尚、メタデータは例えば映像信号の毎フレームごとに生成されメタデータレコーダ２２からの送信要求に応答して毎フレームごとにメタデータレコーダ２２に送信されるが、これと異なる一定期間ごとに逐次送信するようにしてもよいし、メタデータの内容に変更があったときに送信するようにしてもよい。
【００３５】
メタデータレコーダ２２では、システムコントローラ１６のＣＰＵ３０から受信したメタデータを、カメラ本体１２から取得した映像信号に対応付けて記録媒体に記録する。映像信号とメタデータは同一の記録媒体に記録する場合であってもよいし、別の記録媒体に記録する場合であってもよい。また、メタデータレコーダ２２は、メタデータのみを所定の記録媒体に記録する装置であってもよい。
【００３６】
尚、システムコントローラ１６とメタデータレコーダ２２とを直接接続せずにカメラ本体１２を介してシステムコントローラ１６からメタデータレコーダ２２にメタデータを送信するようにしても良く、その場合、システムコントローラ１６とメタデータレコーダ２２との間での信号のやり取りは、システムコントローラ１６とカメラ本体１２との間での信号のやり取りとして本発明を適用できる。
【００３７】
同図に示すセレクトスイッチ３４は、システムコントローラ１６を用いた本システムにおける撮影レンズ１０の種類（型名）を操作者が指定するためのスイッチである。例えば、セレクトスイッチ３４により０、１、２、…、Ｎまでの所望の番号を選択すると、ＣＰＵ３０はその選択された番号に予め対応付けされた型名の撮影レンズが本システムにおける撮影レンズ１０として使用されていると認識する。ただし、セレクトスイッチ３４により特定の番号、例えば０番が選択された場合には、セレクトスイッチ３４による撮影レンズ１０の型名の指定を無効とする。
【００３８】
一方、ＣＰＵ３０に内蔵された図示しないＲＯＭには、セレクトスイッチ３４により指定可能な型名の撮影レンズに対応する固有データが記録されている。この固有データは、撮影レンズ１０のフォーカスレンズ、ズームレンズ、絞りを制御する際や、メタデータを生成する際に撮影レンズ１０の特性、性能等に適応した処理を行うために使用されるデータである。
【００３９】
即ち、フォーカスレンズ、ズームレンズ、絞りの各々の可動範囲に対して各々の位置を検出するポテンショメータからの出力値の数値範囲は撮影レンズ１０の種類によって異なる。また、ポテンショメータからの出力値が同一であっても撮影レンズ１０の種類によって光学的な状態は異なる。ＣＰＵ３０は、所定のプログラムによって各ポテンショメータの出力値を参照しながらフォーカスレンズ、ズームレンズ、絞りの位置や動作速度を制御するが、その際に撮影レンズ１０の種類にかかわらず全く同一のプログラムによってそれらの位置や動作速度を決定する処理等を行うと、撮影レンズ１０の特性、性能に適応したものとならない。例えば、フォーカスコントローラ１８から出力される指令信号（位置指令信号）のある値に対してポテンショメータの出力値が撮影レンズ１０の種類にかかわらず一定値となるようにフォーカスレンズの位置を制御すると、フォーカスコントローラ１８の操作部材の操作範囲とフォーカスレンズの可動範囲とが適切に対応しない。また、フォーカスレンズが機械的な制限端に近づいたときにはフォーカスレンズの移動速度を強制的に低減し制限端に達したときには制御上でも停止の状態にするという処理も、制限端におけるポテンショメータの出力値が撮影レンズ１０の種類によって異なるため同一のプログラムでは適切に行うことができない。また、フォーカスコントローラ１８やズームコントローラ２０の操作感度をフォーカスレンズやズームレンズの位置に応じて変化させるという処理も同様に同一のプログラムでは適切に行うことができない。
【００４０】
そこで、例えば、プログラムで使用するパラメータを撮影レンズ１０の種類に応じて変更するようにし、撮影レンズ１０の種類に適応したフォーカスレンズ、ズームレンズ、絞りの制御が行われるように適切なパラメータの値を固有データにより設定できるようにしている。尚、固有データはプログラムで使用されるパラメータの値ではなく、撮影レンズ１０の型名に対応して実行するプログラム自体であってもよいし、その他の形態であってもよい。
【００４１】
また、固有データは、撮影レンズ１０の被写体距離、焦点距離、絞り値といった撮影レンズ１０の設定状態を示すメタデータを生成するためのデータも含む。即ち、フォーカスレンズ、ズームレンズ、絞りの位置を検出する各ポテンショメータから出力された出力値と、それらの出力値から求められる被写体距離、焦点距離、絞り値との関係は撮影レンズ１０の種類によって異なる。そこで、各ポテンショメータの出力値から撮影レンズ１０の種類に応じて正しい被写体距離、焦点距離、絞り値が求まるように各ポテンショメータの出力値から被写体距離、焦点距離、絞り値を求めるデータが固有データとして設定される。尚、この固有データは、本実施の形態では、各ポテンショメータの出力値とそのときの被写体距離、焦点距離、絞り値とを対応させた表データとする。ただし、固有データは各ポテンショメータの出力値から焦点距離等のメタデータを算出するための演算パラメータの値であってもよし、その他の形態であってもよい。
【００４２】
ＣＰＵ３０は、セレクトスイッチ３４により指定を無効とする０番以外の番号が指定された場合には、その番号の撮影レンズ１０の型名に対応する固有データをＲＯＭから読み出し、固有データに基づいてフォーカスレンズ、ズームレンズ、絞りの制御やメタデータの生成の処理を実行する。セレクトスイッチ３４により０番が指定された場合には、前回使用した撮影レンズ１０の固有データを使用する。
【００４３】
一方、システムコントローラ１６を用いた本システムにおける撮影レンズ１０の型名の指定やその固有データの設定は、システムコントローラ１６の端子１６ＨにＰＣ２４を接続することによりＰＣ２４からも行うことができるようになっている。端子１６Ｈに接続されたＰＣ２４とＣＰＵ３０との間ではＳＣＩにより各種信号のやり取りを行うことができ、ＣＰＵ３０は、ＰＣ２４が接続されている場合には、撮影レンズ１０の型名の指定をＰＣ２４から受信する。指定された型名の撮影レンズに対応する固有データが上記ＲＯＭ又は過去に使用した固有データを記憶しているＥＥＰＲＯＭ３６に記録されている場合には、その固有データを使用する。一方、指定された型名の撮影レンズに対応する固有データが上記ＲＯＭに記録されていない場合には、その固有データもＰＣ２４から取得し、ＥＥＰＲＯＭ３６に格納する。そして、そのＥＥＰＲＯＭ３６に格納した固有データを使用して処理を行う。
【００４４】
同図に示すスイッチＳ１は、システムの電源（カメラ本体１２やシステムコントローラ１６等の電源）を切らずに撮影レンズ１０を他の種類の撮影レンズに交換した場合に、撮影レンズの型名と固有データの再設定をＣＰＵ３０に指示するためのもので、これによって、撮影レンズを交換する際にシステムを再起動させることの時間の浪費や手間を軽減することができる。尚、スイッチＳ１の代わりにＰＣ２４により撮影レンズの型名と固有データの再設定をＣＰＵ３０に指示できるようにしてもよい。
【００４５】
図３は、上記システムコントローラ１６におけるＣＰＵ３０の処理手順を示したフローチャートである。尚、本フローチャートに示す処理手順では、主にメタデータの生成に関する処理について示す。ＣＰＵ３０は電源が投入されると、まず所要の初期設定を行った後（ステップＳ１０）、ＰＣ２４が接続されているか否かを判定する（ステップＳ１２）。ＮＯと判定した場合には、セレクトスイッチ３４が有効か否か、即ち、０番以外か否かを判定する（ステップＳ１４）。ＹＥＳ（０番以外）と判定した場合には、セレクトスイッチ３４により指定された番号の撮影レンズの型名により、その型名に対応する固有データが記録されているＲＯＭのデータ領域（アドレス）を、メタデータの生成に使用するＲＯＭのデータ領域として設定する（ステップＳ１６）。一方、ステップＳ１４においてＮＯ、即ち、０番と判定した場合には、前回使われた撮影レンズの型名をＥＥＰＲＯＭ３６から読み出し、その型名に対応する固有データが記録されているＲＯＭ又はＥＥＰＲＯＭ３６のデータ領域を、メタデータの生成に使用するＲＯＭ又はＥＥＰＲＯＭ３６のデータ領域として設定する（ステップＳ１８）。上記ステップＳ１６又はステップＳ１８の処理の後、後述するステップＳ２８の処理に移行する。
【００４６】
これに対してステップＳ１２においてＹＥＳ、即ち、ＰＣ２４が接続されていると判定した場合、次にＣＰＵ３０は、ＰＣ２４に撮影レンズ１０の型名の送信を要求する。これによりＰＣ２４から操作者が指定した撮影レンズ１０の型名が送信され、その情報を受信するとＥＥＰＲＯＭ３６にその撮影レンズ１０の型名を記憶する（ステップＳ２０）。
【００４７】
次に、ＣＰＵ３０は、ＰＣ２４により指定された撮影レンズ１０の型名に対応する固有データがＲＯＭ又はＥＥＰＲＯＭ３６に記録されているか否かを判定する（ステップＳ２２）。ＮＯと判定した場合には、ＰＣ２４により指定された撮影レンズ１０の型名に対応する固有データの送信を要求し、ＰＣ２４からその固有データを受信してＥＥＰＲＯＭ３６に記録する（ステップＳ２４）。そして、その固有データを記録したＥＥＰＲＯＭ３６のデータ領域を、メタデータの生成に使用するＥＥＰＲＯＭ３６のデータ領域として設定する（ステップＳ２６）。一方、ステップＳ２２においてＹＥＳと判定した場合には、ＰＣ２４に固有データの送信を要求せず、指定された撮影レンズ１０の型名に対応する固有データが既に記録されているＲＯＭ又はＥＥＰＲＯＭ３６のデータ領域を、メタデータの生成に使用するＲＯＭ又はＥＥＰＲＯＭ３６のデータ領域として設定する（ステップＳ２６）。
【００４８】
上記ステップＳ１６、ステップＳ１８、又は、ステップＳ２６の処理の後、次にＣＰＵ３０はメタデータレコーダ２２からメタデータの送信要求があるか否かを判定する（ステップＳ２８）。ＹＥＳと判定した場合、撮影レンズ１０のフォーカス（フォーカスレンズ）、ズーム（ズームレンズ）、絞りの現在位置の情報として上記各ドライブユニット１４Ａ〜１４Ｃのポテンショメータの出力値を読み込む（ステップＳ３０）。
【００４９】
続いて、各ポテンショメータの出力値（各現在位置）に対応するメタデータを、上記ステップＳ１６、ステップＳ１８、又は、ステップＳ２６において設定されたＲＯＭ又はＥＥＰＲＯＭ３６のデータ領域から読み出し、そのメタデータをメタデータレコーダ２２に出力する（ステップＳ３２）。尚、本実施の形態における固有データは、各ポテンショメータの出力値とそれらの出力値での被写体距離、焦点距離、絞り値を示すメタデータとを対応させて記録したものとする。
【００５０】
ステップＳ３２の処理の後、又は、ステップＳ２８においてＮＯと判定した場合、次にＣＰＵ３０はスイッチＳ１の状態を読み込み（ステップＳ３４）、スイッチＳ１がオンされたか否かを判定する（ステップＳ３６）。ＮＯと判定した場合にはその他の処理（フォーカスレンズ等の制御処理）を実行し、ステップＳ２８の処理から繰り返す。一方、ステップＳ３６においてＹＥＳと判定した場合には、ステップＳ１２の処理から再度実行し、メタデータの生成に使用する固有データを再設定する。
【００５１】
以上のフローチャートでは、メタデータの生成に使用する固有データを設定する手順について説明したが、フォーカスレンズ、ズームレンズ、絞りの制御に使用する固有データを設定する手順についても上記フローチャートと同様である。
【００５２】
また、セレクトスイッチ３４により指定可能な撮影レンズ１０の種類（型名）とその固有データをＰＣ２４からシステムコントローラ１６に送信してＥＥＰＲＯＭ等のメモリに書き込めるようにして、適宜変更できるようにしてもよい。
【００５３】
また、上記実施の形態では、撮影レンズの個体を特定する個体情報として撮影レンズの種類（型名）を指定し、型名に対応する固有データを使用するようにしたが、型名の代わりの個体ごとに異なる番号が割り当てられるシリアルナンバーを指定するようにしてもよい。また、この場合に、シリアルナンバーが異なっていてもシリアルナンバーから割り出される型名が同じであれば同じ固有データを使用するようにしてもよいし、また、型名が同じであっても個体差があることを考慮してシリアルナンバーのそれぞれに対応させた固有データを使用するようにしてもよい。
【００５４】
次に、撮影レンズ１０の種類を交換してシステムコントローラ１６に対して撮影レンズの型名と固有データの再設定を行った場合にメタデータレコーダ２２やカメラ本体１２に撮影レンズの型名の再設定を促す処理について説明する。上記実施の形態では言及していないがセレクトスイッチ３４又はＰＣ２４によって設定された撮影レンズ１０の型名はメタデータレコーダ２２やカメラ本体１２にも送信され、例えばメタデータレコーダ２２ではメタデータと共に撮影レンズ１０の型名も記録される。メタデータレコーダ２２やカメラ本体１２ではシステムに電源が投入された際の初期設定時において撮影レンズ１０の型名の送信要求をシステムコントローラ１６に対して行い、システムコントローラ１６からその型名を受信しており、また、このような撮影レンズの型名やメタデータなどの情報の送信はメタデータレコーダ２２やカメラ本体１２側がシステムコントローラ１６に要求することにより行われるようになっている。従って、初期設定後にシステムコントローラ１６において撮影レンズの型名の変更が行われてもメタデータレコーダ２２やカメラ本体１２では撮影レンズの型名は変更されず、実際とは異なる型名がメタデータと共に記録されてしまうなどの不具合がある。
【００５５】
これを防止するために、図４に示すようなフローチャートの処理を適用することができる。尚、メタデータレコーダ２２やカメラ本体１２のようにシステムコントローラ１６に対してデータの送信を要求する機器をホストといい、また、説明を簡単にするためにシステムコントローラにおける撮影レンズの型名の設定はＰＣ２４によって行われるものとする。
【００５６】
まず、システムコントローラ１６のＣＰＵ３０は、所要の初期設定を行った後（ステップＳ５０）、ＰＣ２４により撮影レンズの型名を変更する指示があるか否かを判定する（ステップＳ５２）。ＹＥＳと判定した場合、ＰＣ２４から型名を受信し、ＥＥＰＲＯＭ３６に記憶させ（ステップＳ５４）、詳細を省略するがその型名に対応する固有データが記録されているＲＯＭ又はＥＥＰＲＯＭ３６のデータ領域をメタデータの生成に使用するＲＯＭ又はＥＥＰＲＯＭ３６のデータ領域として設定する（ステップＳ５６）。そして、型名変更フラグをオンにする。上記ステップＳ５２においてＮＯと判定した場合にはステップＳ５８までの処理を行わない。
【００５７】
次にＣＰＵ３０はホストよりメタデータの送信要求があるか否かを判定する（ステップＳ６０）。ＹＥＳと判定した場合には、続いて、型名変更フラグがオンか否かを判定する（ステップＳ６２）。ここでＮＯと判定した場合には撮影レンズ１０のフォーカス（フォーカスレンズ）、ズーム（ズームレンズ）、絞りの現在位置の情報として上記各ドライブユニット１４Ａ〜１４Ｃのポテンショメータの出力値を読み込む（ステップＳ６６）。そして、各ポテンショメータの出力値に対応するメタデータを、メタデータの生成に使用するデータ領域として設定されているＲＯＭ又はＥＥＰＲＯＭ３６のデータ領域から読み出し（ステップＳ６８）、そのメタデータをホストに出力する（ステップＳ７０）。続いて、その他の処理を行った後（ステップＳ７２）、ステップＳ５２からの処理を繰り返す。
【００５８】
一方、ステップＳ６２においてＹＥＳ、即ち、型名変更フラグがオンの場合、ＣＰＵ３０は、ホストに型名の再要求を促す応答を行う（ステップＳ７４）。そして、型名変更フラグをオフにし（ステップＳ７６）、ステップＳ７２に移行する。
【００５９】
上記ステップＳ６０においてＮＯ、即ち、ホストからメタデータ要求がない場合、ＣＰＵ３０は続いてホストから型名の要求があるか否かを判定する（ステップＳ７８）。上記ステップＳ７４の処理が行われた後には、ホストから型名の要求がありこのステップＳ７８においてＹＥＳと判定される。ＣＰＵ３０はＹＥＳと判定した場合、型名をホストに送信し（ステップＳ８０）、ステップＳ７２に移行する。ＮＯと判定した場合には、ステップＳ８０の処理を行わずにステップＳ７２に移行する。
【００６０】
以上のような処理により撮影レンズ１０の型名（又はシリアルナンバー）が変更された場合に、システムコントローラ１６のＣＰＵ３０は、ホストに型名の送信要求を行わせることを促し、電源をオフすることなくホストでの撮影レンズ１０の型名の設定を変更することができる。
【図面の簡単な説明】
【００６１】
【図１】図１は、本発明が適用される例えばシネマ用の撮影システムの構成を示したブロック図である。
【図２】図２は、システムコントローラの構成を示したブロック図である。
【図３】図３は、システムコントローラにおけるＣＰＵの処理手順を示したフローチャートである。
【図４】図４は、他の実施の形態におけるシステムコントローラのＣＰＵの処理手順を示したフローチャートである。
【符号の説明】
【００６２】
１０…撮影レンズ、１０Ａ…フォーカス部、１０Ｂ…ズーム部、１０Ｃ…アイリス部、１２…カメラ本体、１４Ａ〜１４Ｃ…ドライブユニット、１６…システムコントローラ、１８…フォーカスコントローラ、２２…メタデータレコーダ、２４…パーソナルコンピュータ（ＰＣ）、３０…ＣＰＵ、３２Ａ…フォーカスドライバ回路、３２Ｂ…ズームドライバ回路、３２Ｃ…アイリスドライバ回路、３４…セレクトスイッチ、３６…ＥＥＰＲＯＭ、Ｓ１…スイッチ
【図１】
2005043713.tif 000003
【図２】
2005043713.tif 000004
【図３】
2005043713.tif 000005
【図４】
2005043713.tif 000006